(57)【要約】【課題】詰め替え作業を容易かつ確実に行うことができ、香りや風味が損なわおそれの少ない詰め替え用容器を提供する。【解決手段】少なくとも筒状の容器本体２、密封シール４、詰め替え補助部材５からなる詰め替え用容器１であって、前記密封シール４は引き抜き開封用の摘み部４２を一体に備えていて、前記容器本体２の開口部２Ａを密封し、前記詰め替え補助部材５はインスタントコーヒーＰの移し替え容器９の口部に嵌合可能で、前記詰め替え補助部材５が容器本体２の開口部２Ａに嵌着され、前記密封シール４を開封した後、この詰め替え補助部材５によってインスタントコーヒーＰを移し替え容器９へその口部から直接的に注ぎ込めるようにした。【選択図】      図１
2010058832.tif 000002
【特許請求の範囲】
【請求項１】
少なくとも筒状の容器本体、密封シール、詰め替え補助部材からなる詰め替え用容器であって、前記密封シールは引き抜き開封用の摘み部を一体に備えて前記容器本体の開口部を密封し、前記詰め替え補助部材は内容物の移し替え容器の口部に嵌合可能で、前記詰め替え補助部材が容器本体の開口部に嵌着され、前記密封シールを開封した後、この詰め替え補助部材によって内容物を移し替え容器へその口部から直接注ぎ込めるようにしたことを特徴とする詰め替え用容器。
【請求項２】
筒状の容器本体、密封シール、詰め替え補助部材、蓋からなる詰め替え用容器であって、前記容器本体の開口部の内側に、中央に向かって傾斜した漏斗を備えたキャップを備え、前記密封シールは引き抜き開封用の摘み部を一体に備えて前記キャップの天面を密封し、前記詰め替え補助部材は内容物の移し替え容器の口部に嵌合可能で前記キャップに嵌着されると共に、この詰め替え補助部材は前記密封シールを引き抜き開封する際の引き抜き用の切欠き部を備えてなり、前記密封シールを開封した後、前記キャップの漏斗で内容物を中央部に集めながら、この詰め替え補助部材によって内容物を移し替え容器へその口部から直接注ぎ込めるようにしたことを特徴とする詰め替え用容器。
【請求項３】
筒状の容器本体、密封シール、詰め替え補助部材からなる詰め替え用容器であって、前記密封シールは引き抜き開封用の摘み部を一体に備えて前記容器本体の開口部を密封し、前記詰め替え補助部材は内容物の移し替え容器の口部に嵌合可能で容器本体の開口部に嵌着されると共に、この詰め替え補助部材は前記密封シールを引き抜き開封する際の引き抜き用の切欠き部を備えてなり、記密封シールを開封した後、この詰め替え補助部材によって内容物を移し替え容器へその口部から直接注ぎ込めるようにしたことを特徴とする詰め替え用容器。
【請求項４】
密封シールは一軸延伸合成樹脂製で、少なくとも容器本体の開口部の一部分を開放可能に構成されている請求項１〜３のいずれかに記載の詰め替え用容器。
【請求項５】
密封シールは二重の積層シールからなり、下側シールは上側シールに周縁部で易剥離性の接着剤で貼着されるとともに、この易剥離性の粘着材の内縁に沿ってミシン目が設けられ、少なくとも容器本体の開口部の一部分を開放可能に構成されている請求項１〜３のいずれかに記載の詰め替え用容器。
【請求項６】
詰め替え補助部材は前記密封シールを引き抜き開封する際の引き抜きを容易にするために前記キャップ或いは容器本体の天面との間に隙間を備えている前記１〜５のいずれかに記載の詰め替え用容器。
【発明の詳細な説明】
【技術分野】
【０００１】
本発明は、粉体や粒体などの詰め替え用容器、より詳しくは、インスタントコーヒーの詰め替えに好適な詰め替え用容器に関する。
【背景技術】
【０００２】
インスタントコーヒーなどの詰め替えに用いられる詰め替え用容器としては、合成樹脂製フィルムからなる包装袋が多く使用されている。例えば、上方に再封用ジッパー部を設けた自立性を有するガゼット袋である。
【特許文献１】特開２００７−２９０３７３号公報
【発明の開示】
【発明が解決しようとする課題】
【０００３】
しかし、上記従来の詰め替え用容器は、内容物であるインスタントコーヒーなどを詰め替える際、詰め替え用容器をあらかじめ開封しておく必要があると共に、容器への詰め替えの際に内容物がこぼれてしまう場合があることから、詰め替え作業が非常に面倒で、煩雑であるという問題が生じていた。更には、詰め替える際、内容物であるインスタントコーヒーなどが外気に触れてしまうために、内容物の持つ香りや風味が損なわれてしまう問題も生じていた。
【０００４】
本発明は、このような問題を解決すべくなされたもので、詰め替え作業を容易かつ確実に行うことができ、香りや風味が損なわれるおそれの少ない詰め替え用容器を提供することを目的としている。
【課題を解決するための手段】
【０００５】
以上の技術的な課題を解決するために、本発明の請求項１記載の詰め替え用容器は、少なくとも筒状の容器本体、密封シール、詰め替え補助部材からなる詰め替え用容器であって、前記密封シールは引き抜き開封用の摘み部を一体に備えて前記容器本体の開口部を密封し、前記詰め替え補助部材は内容物の移し替え容器の口部に嵌合可能で、前記詰め替え補助部材が容器本体の開口部に嵌着され、前記密封シールを開封した後、この詰め替え補助部材によって内容物を移し替え容器へその口部から直接注ぎ込めるようにしたものである。
【０００６】
この詰め替え用容器では、容器本体を逆さにし、先ず詰め替え容器の開口部に前記詰め替え補助部材を嵌合しておく。この状態から、前記密封シールの摘み部を指先で摘んでこれを手前に引くと、密封シールは容器本体の開口部から順次剥離して、開口部の密封を開放する。開放された容器本体からは内容物が詰め替え補助部材によって、詰め替え容器内へ直接に案内流下される。
【発明の効果】
【０００７】
したがって、この発明は以下の効果を奏する。
以上説明したように、本発明の詰め替え用容器は、従来のスタンディングパウチ等と全く違って、密封シールを引き抜くことで、簡単に容器本体と詰め替え容器とを直に連通させるものであるから、詰め替え作業を大変簡単な操作で、容易かつ確実に行うことができ、内容物を外気に触れさせるおそれも少なく、香りや風味も損なわれることも少ない。
【０００８】
本発明は、請求項２に記載するように、筒状の容器本体、密封シール、詰め替え補助部材、蓋からなる詰め替え用容器であって、前記容器本体の開口部の内側に、中央に向かって傾斜した漏斗を備えたキャップを備え、前記密封シールは引き抜き開封用の摘み部を一体に備えて前記キャップの天面を密封し、前記詰め替え補助部材は内容物の移し替え容器の口部に嵌合可能で前記キャップに嵌着されると共に、この詰め替え補助部材は前記密封シールを引き抜き開封する際の引き抜き用の切欠き部を備えてなり、前記密封シールを開封した後、前記キャップの漏斗で内容物を中央部に集めながら、この詰め替え補助部材によって内容物を移し替え容器へその口部から直接注ぎ込めるようにすることもできる。
【０００９】
したがって、この請求項２に記載の発明では、請求項１の発明と同様に、従来のスタンディングパウチ等と全く違って、密封シールを引き抜くことで、簡単に容器本体と詰め替え容器とを直に連通させるものであるから、詰め替え作業を大変簡単な操作で、容易かつ確実に行うことができ、内容物を外気に触れさせるおそれも少なく、香りや風味が損なわれることも少ない。併せて、漏斗を備えたキャップの存在によって、容器本体内の内容物をセンターに集めながらこれを詰め替え容器内へ案内流下でき、内容物が不用意にこぼれるおそれを未然に防止でき、一層確実に詰め替えが行える。
【００１０】
また、請求項３に記載するように、筒状の容器本体、密封シール、詰め替え補助部材からなる詰め替え用容器であって、前記密封シールは引き抜き開封用の摘み部を一体に備えて前記容器本体の開口部を密封し、前記詰め替え補助部材は内容物の移し替え容器の口部に嵌合可能で容器本体の開口部に嵌着されると共に、この詰め替え補助部材は前記密封シールを引き抜き開封する際の引き抜き用の切欠き部を備えてなり、記密封シールを開封した後、この詰め替え補助部材によって内容物を移し替え容器へその口部から直接注ぎ込めるようにすることもできる。
【００１１】
したがって、この請求項３に記載の発明では、請求項１、２の発明と同様に、従来のスタンディングパウチ等と全く違って、密封シールを引き抜くことで、簡単に容器本体と詰め替え容器とを直に連通させるものであるから、詰め替え作業を大変簡単な操作で、容易かつ確実に行うことができ、内容物を外気に触れさせるおそれも少なく、香りや風味が損なわれることも少ない。併せて、使用部品点数が少なく、しかも構造が簡単であるから、組み立て加工も容易で、大変廉価に提供できる。
【００１２】
以上の発明において、請求項４に記載するように、密封シールは一軸延伸合成樹脂製であったり、また、請求項５に記載するように、二重の積層シールからなり、下側シールは上側シールに周縁部で易剥離性の接着剤で貼着されるとともに、この易剥離性の粘着材の内縁に沿ってミシン目が設けられたりして、少なくとも容器本体の開口部の一部分を開放可能に構成されるのが望ましい。
密封シールの開封、またその作業が大変スムースで的確に行えるからである。
【００１３】
更に請求項６に記載するように、詰め替え補助部材は前記密封シールを引き抜き開封する際の引き抜きを容易にするために前記キャップ或いは容器本体の天面との間に隙間を備えているのが望ましい。
密封シールの開封性を一層高めてくれるからである。
【発明を実施するための最良の形態】
【００１４】
以下、この発明の詰め替え用容器を、インスタントコーヒーの詰め替え用容器１に適用した場合の実施の形態について、図面に従って詳細に説明する。
【００１５】
尚、本発明は、基本的には、立ち上がり壁を備えた漏斗を持つキャップそして／又は詰め替え用補助部材を備え、内容物の移し替えや内容物への添加材や具材を収容するためなどの便に供する態様のもの全般に適用できる。したがって、以下の実施例に記載の例に限定されるものでないことは改めて言うまでもない。
【００１６】
先ず、詰め替え用容器１は、図１、２に示すように、筒状の容器本体２、キャップ３、バリア性を有するシート状の蓋材４、詰め替え補助部材５、更にこの詰め替え補助部材５の開口５Ｄ（後述）を閉塞する、蓋６からなる。
【００１７】
容器本体２は有底の円筒形で、基材には矩形の紙片が用いられる。この紙製の円筒は、その外側から順に、紙、アルミニウム箔、ポリエチレンテレフタレート、更に低密度ポリエチレンが積層されて、高いガスバリア性（酸素、水蒸気、内容物由来揮発成分）を備えた複合材が採用される。積層手段は公知の技術が採用される。例えば、ラミネートや塗着などの一般的な手法である。容器本体２を作製するには、前記のような高いガスバリア性を備えた矩形の紙片を筒状に丸め、左右両サイドを重合させ、この重合部を糊代として適宜に接合される。接合手段は、接着剤を使用したり、熱融着させたり、適宜公知の手段が採用される。そして、上端は、図１、２に示すように、外方に向かって環状に巻込んでカール部２Ｂが一体に形成されている。
【００１８】
この容器本体２の開口部２Ａ内には、図１に示すように、キャップ３が嵌合されている。このキャップ３は前記容器本体２と同じ素材或いは厚みを０．８ｍｍに設定された高密度ポリエチレン（ＨＤＰＥ）、ポリプロピレンなど適宜の樹脂素材で形成されている。このキャップ３は周囲に立ち上がり壁３Ａを備え、この立ち上がり壁３Ａが容器本体２の開口に内嵌合される。また、この立ち上がり壁３Ａの下端縁から一体に、上方かつ中央に向かって順次傾斜した漏斗３Ｂが備わっている。そしてこの漏斗３Ｂのテーパ角は、少なくとも２０°、更に好ましくは４０〜４５°に設定される。容器本体２内のインスタントコーヒーＰ（図５参照）をこの漏斗３Ｂによって、センターへ集めるように働く。更に、立ち上がり壁３Ａの上端には容器本体２の上端、つまりカール部２Ｂの上端面２Ｂ１上に載置される鍔部３Ｃが備わっている。
【００１９】
密封シール４の基材はプラスチック、紙、アルミからなる単層或いは積層構成で、内容物にバリア性が必要な場合には、バリア性を持たせるのが望ましい。一例として、一軸延伸ポリエチレンが用いられ、ポリエチレン、アルミニウム箔、ポリエチレンが順に積層されて表面処理が施されたものを採用している。処理の手段は公知の技術が採用され、ラミネートや塗着などの一般的な手法である。なお、容器本体２の前記カール部２Ｂの上端面２Ｂ１上に貼着されるこの密封シール４の内面、つまり最下層は、易開封できる強度で接着する厚み１５〜１００μｍのイージーピール材が用いられる。全体形状は、図示するように、前記キャップ３とほぼ同径の円形を呈し、その周縁部４Ａが丁度このキャップ３の鍔部３Ｃに、つまりキャップ３の天面に適宜に貼着される。一般的には熱融着される。
【００２０】
以上の密封シール４の全体形状は、図３、４示すように、前記容器本体２の開口部２Ａとほぼ同径、具体的には約９０ｍｍφの円形を呈し、その周縁部４Ａが容器本体２の開口部２Ａの上端、つまりカール部２Ｂの上端面２Ｂ１に適宜に貼着される。一般的には熱融着される。但し、前記キャップ３の立ち上がり壁３Ａの上端面に貼着されても良いが、このキャップ３の前記漏斗３Ｂの上端縁、つまりは開口３Ｂ１の上縁に対しては、単に接触するのみの構成としてある。
【００２１】
この密封シール４の周縁一箇所から、丁度前記キャップ３の漏斗３Ｂの開口３Ｂ１の開口径と略同じ横幅寸法の細幅短冊形の引き抜き開封片４１が、その一端４１Ａを一体に連ねて、ほぼこの密封シール４の直径の倍から１．５倍強の長さに長く延長され、延長端は摘み部４２が一体に設けられている。このように形成された引き抜き開封片４１は前記周縁一箇所の連結点部分で折り返えされてこの密封シール４の上面に重合されて一端４１Ａと反対の側まで至り、更に摘み部４２が容器本体２の外壁に垂れ下がるように形成されている。
【００２２】
また、図１に示すように、この引き抜き開封片４１の密封シール４との連結点、つまりは引き抜き開封片４１の基端４１Ａと密封シール４の周縁との会合部に、この引き抜き開封片４１の引き抜き方向に沿った切り込み４３が設けられている。引き抜き開封片４１を密封シール４からより的確に引き裂くことができ、開封性の確度を高めるためである。つまり、この切り込み４３の働きによって、この引き抜き開封片４１は、丁度前記漏斗３Ｂの開口３Ｂ１の開口径と略同じ横幅寸法の細幅で短冊状（帯状）に切り裂かれる。この  切り込み４３は必要に応じて設けられれば良い。また、密封シール４が紙を主体とする場合には、引き裂きを一層効率よく行うために、この引き抜き開封片４１の連結点の左右からこの引き抜き開封片４１の幅と同じ幅で、直線的に密封シール４を横断するカット線ミシン目を設けることもできる。
【００２３】
詰め替え補助部材５は、キャップ状の形態を備えて、ポリエチレンで形成されている。周囲に容器本体２の開口部２Ａに外嵌合する周壁５Ａが備わり、その上端に連なる天面５Ｂの中央には上方へ突出する、やや小径（前記キャップ３の漏斗３Ａの開口３Ｂ１の径よりは大き目）の筒壁５Ｃが一体に設けられて、開口５Ｄが形成される。この筒壁５Ｃによって得られる開口５Ｄは、後述の詰め替え容器９の開口に内嵌合するので、詰め替え時にインスタントコーヒーＰが外気に直接触れるのを上手く防止したり、インスタントコーヒーＰが不用意に零れ落ちたりするのを未然に防止できる。
【００２４】
蓋６は、ポリプロピレン製で、前記詰め替え補助部材５の開口５Ｄを封止する。前記周壁５Ａに外嵌合し、内部を衛生的に保つ。
【００２５】
前記詰め替え補助部材５は、図３に示すように、前記キャップ３の天面との間に隙間７を備えている。前記密封シール４の前記引き抜き開封片４１を引き抜き開封する際の引き抜きを容易にするためである。この隙間７を得るための構造は次の通りである。
【００２６】
即ち、この詰め替え補助部材５の周壁５Ａの肉厚を厚くする。具体的には、容器本体２の周壁２Ｂの肉厚とキャップ３の立ち上がり壁３Ａの肉厚を合算したものよりも大きな寸法に設定される。そして、この肉厚の周壁５Ａの下端内面側に、下端縁５Ｅから上方に所定寸法分、具体的には周壁５Ａの上下高さの略半分ほどを凹入させて段部５Ｆを形成する。これによって、この詰め替え補助部材５を容器本体２の開口部２Ａに被せたときに、容器本体２の開口部２Ａの上端をこの段部５Ｆに当接させて、この詰め替え補助部材５の天面５Ｂの下面と容器本体２の開口部２Ａとの間に隙間７を得る。この隙間７は周壁５Ａを部分的に切り欠くか若しくは横に細長く穿設してスリット状に形成された引き抜き開口５Ｇに連なり、もって前記引き抜き開封片４１の引き抜きが行えるようになっている。
【００２７】
尚、段部５Ｆの天井面によって前記密封シール４の周縁部分が押圧されることになるが、引き抜き開封用片４１を引き抜くのに抵抗になる押圧力ではないので、この引き抜き開封用片４１の引き抜きはスムースに行える。
また、この隙間７は必ずしも必要としない。必要に応じて採用されれば良い。
【００２８】
また、図４に示す構造は、容器本体２の底２Ｃに設けられた点検窓８で、底２Ｃの中央に孔８Ａを設け、その開口に透明なシート或いは樹脂製の平板８Ｂを気密的に貼着することによって、インスタントコーヒーの詰め替え状況など、内部の様子を点検できるように構成されている。この点検窓８も必要に応じて設けられる。
【００２９】
次に、このように構成された実施例１の詰め替え用容器１の作用について説明する。
図５（Ａ）に示すように、先ず、蓋６を取り外し、次いで図５、６の各（Ｂ）に示すように、容器本体２を逆さにし〔図６（Ａ）に示すように、容器本体２を逆さにしてから蓋６をはずしても良い〕、詰め替え補助部材５の周壁５Ａを詰め替え容器の一例であるジャー９の口部に内嵌合させる。次いで、図６の（Ｂ）に示すように、密封シール４の摘み部４２を指先で摘んで、これを水平横方向へ引っ張る。すると、図６（Ｃ）に示すように、前記引き抜き開封片４１が密封シール４との会合部に設けた前記切り込み４３の働きで（図２参照）、この引き抜き開封片４１だけが密封シール４から、その引き抜き方向に沿って切り裂かれる。その結果、図５、図６の各（Ｃ）に示すように、容器本体２の開口部の一部分としての前記キャップ３の漏斗３Ｂの開口３Ｂ１が開放され、容器本体２内の内容物の一例であるインスタントコーヒーＰは、キャップ３の漏斗３Ｂによって、センターへと案内されつつ、一挙にジャー９内へ案内流下される。したがって、ジャー９の口部に内嵌合された詰め替え補助部材５の周壁５Ａとこの漏斗３Ｂとによって、インスタントコーヒーＰは、詰め替え容器９の外部へ零れ落ちるおそれも無く、また、外気に必要以上触れるおそれもなく、香りや風味を損なうおそれを可及的に少なくできるようになった。
【００３０】
以上に説明した実施の形態にあって、以下に説明するような、部分的に異なる構成にした構造も採用できる。
【００３１】
具体的には、図７〜１２の記載を参照しながら、以下説明する。
この別の構造は、上記の実施の形態と同等の効果を得ることができる上に、用いる部品点数を少なくして、廉価に提供できるようにしたものである。
【００３２】
この構造では、詰め替え用容器１は、基本的には、図７に示す容器本体２、密封シール１０、そして図９に示す詰め替え補助部材１１で構成される。
【００３３】
先ず、密封シール１０は、図８に示すように、基本的には紙を主体とした上層とプラスチックフイルムを主体とした下層とが剥離層を介して積層体構造で形成され、この密封シール１０が容器本体２の開口部２Ａの周壁上端縁に下層のシール層１０Ｂを介して貼着される。更に具体的には、上層は紙を主体として、プラスチックフイルム、アルミ箔などを積層して形成され、下層はプラスチックフィルム、紙、アルミの単層又はこれらの少なくとも二つ或いはそれ以上を積層して、１５〜１００μｍ厚さに形成されている。
【００３４】
下層のシール１０Ｂは周縁部を易剥離性の接着剤、ワックス系の剥離ニスで上層のシール１０Ａと接着されているが、この周縁部を残して中央部分においては、開封口を形成するために、円形状に上層のシール１０Ａと一体不可分に密着接合されている。そして、紙を主体とした密封シールであるために、図１０（Ａ）、（Ｂ）に示すように、両者の境目にはハーフカット或いはミシン目１０Ｃ（図例ではミシン目）が設けられている。言うまでもなく、これらのハーフカット或いはミシン目１０Ｃは、下層から上層まで至るが、上層ではこれを完全に貫くことなく、中途部位まで設けられる。
【００３５】
また、この密封シール１０の周縁一箇所から、所定幅の細幅短冊形の引き抜き開封片１０１が、その一端１０１Ａを一体に連ねて設けられ、他端は摘み部１０２を備えて、この密封シール１０の上面に重合されて一端１０１Ａと反対の側まで重合して延設され、摘み部１０２は、容器本体２の外壁に一部が垂れ下がるほどの寸法に設定される。また、図１０（Ａ）、（Ｂ）に示すように、この引き抜き開封片１０１の基端、つまり密封シール１０の周縁に連なる部位にもその境にハーフカット若しくはミシン目１０Ｄ（図例ではミシン目）が設けられていて、密封シール１０の上層と下層とを前記剥離層で分離するように働く。したがって、その設けられる位置は、密封シール１０と容器本体２の前記カール部２Ｂとが接着されている部位よりもやや外方へ偏倚した位置であるのが望ましい。
【００３６】
したがって、この引き抜き開封片１０１を引き剥がすと、図１０（Ｂ）に示すように、容器本体２の開口部２Ａの周壁上端に下層のシール１０Ｂの周縁部をドーナツ状に残して、中央部分が上層のシール１０Ａと共に引き剥がされて、容器本体２が開封される。
【００３７】
詰め替え補助部材１１は、図９に示すように、上下開放の円形筒状を呈していて、ポリエチレン製である。
この詰め替え補助部材１１の周壁１１Ａの肉厚を厚くする。具体的には、容器本体２の周壁２Ｂの２倍程の肉厚にするのが望ましい。そして、この肉厚の周壁１１Ａの下端内面側に、下端縁１１Ｅから上方に所定寸法分、具体的には周壁１１Ａの上下高さの略半分ほどを凹入させて段部１１Ｆを形成し、これによって、この詰め替え補助部材１１を容器本体２の開口部２Ａに被せたときに、容器本体２の開口部２Ａの上端がこの段部１１Ｆに当接されるように構成される。また、前記段部１１Ｆの天井面と同じ高さレベルで、周壁１１Ａの略半周部分にわたって、内外に通じるスリット１１Ｇが設けられ、更にそのスリットの長さ方向の中央部分他に対応する周壁１１Ａを部分的に切り欠いて引き抜き開口１１Ｈが形成されていて、前記引き抜き開封片１０１と上側シール１０Ｂの引き抜きが行えるようになっている。
【００３８】
尚、段部１１Ｆの天井面によって前記密封シール１０の周縁部分が押圧されることになるが、引き抜き開封用片１０１を引き抜くのに抵抗になる押圧力ではないので、この引き抜き開封片１０１の引き抜きはスムーズに行える。
【００３９】
このように構成された上記実施の形態の作用について説明する。
図７に示すように、容器本体２の開口部２Ａは密封シール１０で気密的に封緘されている。この状態で店頭陳列、販売される。また、詰め替え補助部材１１はセットで販売される。
【００４０】
詰め替えを行うには、先ず、詰め替え補助部材１１をその周壁１１Ａの前記引き抜き開口１１Ｈを設けた側の周壁が下位となるようにして、これを容器本体２の開口部２Ａに外嵌合する。次いで図１１に示すように、容器本体２を逆さにし、詰め替え補助部材１１の周壁１１Ａを詰め替え容器の一例であるジャー９の口部に外嵌合させる。次いで、密封シール１０の摘み部１０２を指先で摘んで、これを水平横方向へ引っ張る。すると、図１０に示すように、容器本体２の開口部２Ａの周壁上端に下側シール１０Ｂの周縁部をドーナツ状に残して、中央部分が上側シール１０Ａと共に引き剥がされて、前記スリット１１Ｇから引き抜かれ、容器本体２の開口部２Ａが開封される。この開封によって、容器本体２内の内容物の一例であるインスタントコーヒーＰは、一挙にジャー９内へ案内流下される。
【００４１】
したがって、この実施の形態においても、簡単に詰め替え作業を行えると共に、詰め替え補助部材１１の周壁１１Ａによって、インスタントコーヒーＰは、ジャー９の外部へ零れ落ちるおそれも無く、また、外気に必要以上触れるおそれもなく、香りや風味を損なうおそれを可及的に少なくできるようになった。
【００４２】
しかも、用いられる部品としては密封シール１０、詰め替え補助部材１１だけの格段に少ない部品点数であるから、構造が簡単であることは言うまでも無く、製造、加工も大変簡単で、結果として大変廉価に提供できる。
【００４３】
尚、図１２に示すように、前記引き抜き開封用片１０１の他端は容器本体２の周壁２Ｂに粘着テープなどのシール材１３によって貼着されるのが望ましい。
【００４４】
また、更に別の構成として、図１３に示すような構造も採用できる。
この更に別の実施の形態は、図３で示される実施の形態で採用された隙間７を設けない構造を示す。したがって、詰め替え補助部材５に設けられる段部５Ｆを備えない構造となっている。
【００４５】
具体的には、図１３に示すように、詰め替え補助部材５の周壁５Ａは天面５Ｂや筒壁５Ｃと同じ肉厚に形成される。そして、容器本体２に被せたときには、この天面５Ｂの下面で直接に密封シート４を、筒壁５Ｃよりも外方全周域で押圧するように構成する。
その押圧力は引き抜き開封用片４１を引き抜くのに抵抗になる押圧力ではないので、この引き抜き開封片４１の引き抜きはスムーズに行える。
また、引き抜き開口５Ｇの上縁は天面５Ｂの下面と同じ高さレベルに形成される。
【００４６】
尚、図１〜６の実施の形態に示される密封シール４と図７〜１２の実施の形態に示される密封シール１０とは相互に互換採用できるものであり、いずれかに固定する必要性はない。
【００４７】
また、以上の各実施の形態では内容物としてインスタンの粉コーヒーを対象としているが、その他にも食品、非食品の他の分流体に適用できる。例えば、水溶性のミルク（粉ミルク）、ココア、茶、又はこれらを適宜に組み合わせた粉など。更には、乾燥マッシュポテトや他の乾燥食品、ソースまたはグレービー粉、スープ粉などの他に複写機のトナーなどである。
【００４８】
また、ジャー９に替わるものとして、コーヒー作成装置のコーヒー粉タンク、更には複写機のトナー補充容器などにも適用できる。
【００４９】
（実施例１）
まず、ラミネート加工法によって、容器本体用として、〔容器外側〕紙層（坪量３００ｇ／ｍ2 ）／接着剤層／アルミニウム箔層（７．０μｍ）／ポリエチレンテレフタレート層（１２μｍ）／接着剤層／低密度ポリエチレン層（５０μｍ）〔容器内側〕構成の積層材料を作製した。また、ボトム部材として、〔容器外側〕低密度ポリエチレン層（２０μｍ）／紙層（坪量２３０ｇ／ｍ2 ）／低密度ポリエチレン層（２０μｍ）／アルミニウム箔層（７．０μｍ）／接着剤層／ポリエチレンテレフタレート層（１２μｍ）／接着剤層／低密度ポリエチレン層（５０μｍ）〔容器内側〕構成の積層材料を作製した。これらの積層材料を用い、ＰＭＣ社製カップ成形機で、胴部上端の外周にカール部をもつカップ状容器本体を作製した。次に、高密度ポリエチレン（三井化学  ２１００Ｋ）を用いて射出成形により、立ち上がり壁３Ａ、漏斗３Ｂ、そして鍔部３Ｃを備えたキャップ３を作製した。立ち上がり壁３Ａ、漏斗３Ｂ並びに鍔部３Ｃは共にほぼ０．８ｍｍ厚となるよう成形した。更に、〔上側〕金属を蒸着して成る透明蒸着ポリエチレンテレフタレート層（１２μｍ）／ドライラミネート用のエステル−ウレタン系２液硬化型から成る接着剤層／ポリエチレンテレフタレート層（１５μｍ）／ドライラミネート用のエステル−ウレタン系２液硬化型から成る接着剤層／シーラント層としての低密度ポリエチレン層（５０μｍ）〔下側〕からなる積層材料を作製し、この積層材料を用いて密封シールを作製した。この密封シールの形状は、直径９０ｍｍとし、その一端から延設される引き抜き開封片の全長を２１０ｍｍ、幅を３０ｍｍとして作製した。
尚、この実施例１では、この引き抜き開封片の密封シールの辺縁４Ａに連なる基端には切り込みを設けていない。
【００５０】
次に、上述のカップ状容器本体をアンビルに挿着して、胴部上端のカール部を下側から支えると共に胴部を固定し、胴部上端内側の開口部に、キャップ３を挿入して挿着し、溶着機を用い、開口部の内面に立ち上がり壁３Ａの外面を接合した。
【００５１】
次いで、前記パーツの漏斗の開口を介してインスタントコーヒーＰを容器本体に充填した。最後に、前記カール部の上面に、ヒートシール法で前述の密封シールを熱融着して容器上端側を密封し、更にこの蓋材の上から詰め替え補助部材５を嵌着することで詰め替え用容器を作製した。
【００５２】
（実施例２）
また、前記引き抜き開封片４１の基端、つまり密封シール４の辺縁との境部分に切り込み４３を設けた密封シール４を上記の手法、手段で作製した。
【００５３】
（実施例３）
更に、図７、８、１０に示した密封シール１０を以下の手法、手段で作製した。
〔上側〕紙層（坪量１０４．７ｇ／ｍ2 の片アート紙）／剥離ニス層（ワックス系）／ポリエチレン層（１５μｍ）／アルミニウム箔層（９μｍ）／シーラント層としての低密度ポリエチレン層（５０μｍ）〔下側〕からなる積層材料を作製し、この積層材料から、直径９０ｍｍ、その一端から延設される引き抜き開封片の全長を２１０ｍｍ、幅を３０ｍｍとした密封シールを作製した。また、図１０（Ａ）（Ｂ）に示すように、密封ーシール１０の中央部分には開封口を形成するための円形のハーフカット１０Ｃを漏斗３Ｂの開口径よりもやや大きめの直径４０ｍｍに設定し、下層のシーラント層から上側の紙層の下から約３分の１寸法分入れ込ませて設けた。更に、引き抜き開封片１０１の基端と密封シール１０との境にも、下層のシーラント層から上側の紙層の下から約３分の１寸法分入れ込ませてハーフカット１０Ｄを設けた。言うまでもなく、開封口を形成するための密封シールの１０中央部部分に設けられた円形のハーフカット部分の内側には剥離ニス層は塗着されていないので、前記引き抜き開封片１０１を引っ張るとこのハーフカットで囲まれた円形部分の最下層のシーラント層から最上層の紙層までがこの引き抜き開封片１０１と共に他の部位から分離切断され、開封口が形成される。
【００５４】
併せて、図７〜１２に示される容器本体並びに詰め替え補助部材１１を上記実施例１に倣って、同様の手法、手段で作製した。
【００５５】
更に、図１３に示される隙間７のない詰め替え補助部材５を上記の手法、手段で作製した。
【００５６】
更に、リング３Ａの上端にフランジ３Ｂを備えないタイプのホッパ３を上記の手法、手段で作製した。
【００５７】
得られた製品は何れも、従来のスタンディングパウチ等と全く違って、詰め替え作業を大変簡単な操作で、容易かつ確実に行うことができ、インスタントコーヒーＰを外気に触れさせるおそれも少なく、香りや風味が保たれていることが判明した。更に、密封シールの開封性を表すピール強度についても、実施例１では約２００Ｎ、実施例２では約１８０Ｎ、実施例３では１００Ｎで、いずれの場合もピール感は問題がなく、スムーズな剥離が行えた。尚、スプレードライ製法によるインスタントコーヒーは外気に長時間触れるとケーキングの発生を見るが、試験の結果、何れの実施例でもケーキングは生じず問題はなかった。
【００５８】
また、図７〜１２に示される構造にあっても、用いられる部品としては密封シール１０、詰め替え補助部材１１だけの格段に少ない部品点数であるから、構造が簡単であることは言うまでも無く、製造、加工も大変簡単で、結果として大変廉価に提供できることが分かった。
【００５９】
更に、図１３に示される構造にあっても引き抜き開封片４１の引き抜きはスムーズに行えることが分かった。
【図面の簡単な説明】
【００６０】
【図１】本発明の詰め替え用容器の一実施形態を示す全体斜視図である。
【図２】図１の詰め替え用容器の分解斜視図である。
【図３】図１の詰め替え用容器の開口部の構造を、一部を取り出して拡大表示した部分拡大図を含む断面図で、（Ａ）は引き抜き開封片の長さ方向に直交する方向からみた断面図、（Ｂ）は（Ａ）図中のＡ−Ａ断面図である。
【図４】図１の詰め替え用容器の底を示す部分斜視図である。
【図５】図１の詰め替え用容器の作用の説明図である。
【図６】図１の詰め替え用容器の作用の説明図で、引き抜き開封片の動きの説明図である。
【図７】別の実施の形態を示す全体斜視図である。
【図８】図７に示す密封シールの分解説明図である。
【図９】図７に示す詰め替え補助部材の斜視図である。
【図１０】（Ａ）は図７に示す密封シールの一部切欠き裏面図、（Ｂ）は作用の説明図である。
【図１１】図７に示す別の実施の形態の作用の説明図である。
【図１２】図７に示す別の実施の形態に採用される変形例の部分斜視図である。
【図１３】更に別の実施の形態を示す要部の拡大断面図である。
【符号の説明】
【００６１】
１…詰め替え用容器
２…容器本体
２Ａ…開口部
２Ｂ…周壁
２Ｃ…底
３…キャップ
３Ｂ…漏斗
３Ｂ１…漏斗の開口部
４…密封シール
４１…引き抜き開封片
４２…摘み
４３…切り込み
５…詰め替え補助部材
５Ｃ…筒壁
５Ｄ…開口
５Ｆ…段部
５Ｇ…引き抜き開口
６…蓋
７…隙間
９…ジャー
１０…密封シール
１０Ａ…上側シール
１０Ｂ…下側シール
１０１…引き抜き開封片
１０２…摘み
１１…詰め替え補助部材
１１Ｇ…スリット
１１Ｈ…引き抜き開口
【図１】
2010058832.tif 000003
【図２】
2010058832.tif 000004
【図３】
2010058832.tif 000005
【図４】
2010058832.tif 000006
【図５】
2010058832.tif 000007
【図６】
2010058832.tif 000008
【図７】
2010058832.tif 000009
【図８】
2010058832.tif 000010
【図９】
2010058832.tif 000011
【図１０】
2010058832.tif 000012
【図１１】
2010058832.tif 000013
【図１２】
2010058832.tif 000014
【図１３】
2010058832.tif 000015